(57)【要約】      （修正有）【課題】マイクロコンピュータスコアリングの面ファスナーカギ式電子ターゲット構造を提供する。【解決手段】マイクロコンピュータスコアリングの面ファスナーカギ式電子ターゲット１０の構造は、面ファスナーカギフック体を備え、該カギフック体ターゲット面１１は電子ターゲットの表面に設置し、該ターゲット面は繊維ループ球体２０或いは繊維ループ投てき物に衝突されターゲット面上に粘着され、衝突後の推力はターゲット面をわずかに後方へと陥没させ、次にさらに背面のタッチスイッチユニットに接触し、感知信号を発生し、マイクロコンピュータＣＰＵに伝送し各種異なるゲーム変化を生じる。こうして投球或いは投てきゲームは音と光、音声、音楽、ＬＥＤ、ＬＣＤ、バックライトＬＣＤ、バックライトボード、液晶モニター等を対応させ各種自動スコアリングのゲーム方式を、自動スコアリング表示を駆動してゲームをさらに精確、公平、公正に表示する。【選択図】図１１
0003144807.tif 000002
【実用新案登録請求の範囲】
【請求項１】
マイクロコンピュータスコアリングの面ファスナーカギ式電子ターゲット構造は面ファスナーカギフック体ターゲット面上に少なくとも１個の目標ターゲット区域を設置し、
少なくとも１個のタッチスイッチユニットは面ファスナーカギフック体ターゲット面後方に設置し、
電子表示スコアリングボックスは該タッチスイッチユニットの感知信号を受け取り、感知及び表示と音声機能を発し、
繊維ループ球体或いは繊維ループ投てき物は投てき可能で、該面ファスナーカギフック体ターゲット面上に粘着可能で、
該繊維ループ球体或いは繊維ループ投てき物が該面ファスナーカギフック体ターゲット面の目標ターゲット区域に命中すると、該目標ターゲット区域は後方へとタッチスイッチユニットに触れ、こうして導電感知の機能を達成することを特徴とするマイクロコンピュータスコアリングの面ファスナーカギ式電子ターゲット構造。
【請求項２】
マイクロコンピュータスコアリングの面ファスナーカギ式電子ターゲット構造は繊維ループターゲット面上に少なくとも１個の目標ターゲット区域を設置し、
少なくとも１個のタッチスイッチユニットは該繊維ループターゲット面後方に設置し、
電子表示スコアリングボックスは該タッチスイッチユニットの感知信号を受け取り、感知及び表示と音声機能を発し、
面ファスナーカギフック体球体或いは面ファスナーカギフック体投てき物は投てき可能で、該繊維ループターゲット面上に粘着可能で、
該面ファスナーカギフック体球体或いは面ファスナーカギフック体投てき物が該繊維ループターゲット面の目標ターゲット区域に命中すると、該目標ターゲット区域は後方へとタッチスイッチユニットに触れ、こうして導電感知の機能を達成することを特徴とするマイクロコンピュータスコアリングの面ファスナーカギ式電子ターゲット構造。
【請求項３】
マイクロコンピュータスコアリングの面ファスナーカギ式電子ターゲット構造は面ファスナーカギフック体ターゲット面上に少なくとも１個の目標ターゲット区域を設置し、
少なくとも１個のタッチスイッチユニットは面ファスナーカギフック体ターゲット面後方に設置し、該タッチスイッチユニットは導電膜スイッチで、
電子表示スコアリングボックスは該タッチスイッチユニットの感知信号を受け取り、感知及び表示と音声機能を発し、
繊維ループ球体或いは繊維ループ投てき物は投てき可能で、該面ファスナーカギフック体ターゲット面上に粘着可能で、
該繊維ループ球体或いは繊維ループ投てき物が該面ファスナーカギフック体ターゲット面の目標ターゲット区域に命中すると、該目標ターゲット区域は後方へと導電膜スイッチに触れ、
該導電膜スイッチは触れられると、その内の導電膜上層の導電層は陥没し、導電膜下層の導電層に接触し、こうして導電感知の機能を達成することを特徴とするマイクロコンピュータスコアリングの面ファスナーカギ式電子ターゲット構造。
【請求項４】
前記タッチスイッチユニットはインチングスイッチであることを特徴とする請求項１或いは２記載のマイクロコンピュータスコアリングの面ファスナーカギ式電子ターゲット構造。
【請求項５】
前記タッチスイッチユニットは導電片スイッチで、
該導電片スイッチの２枚の導電片の導電片上層と導電片下層は共に金属導電材質で、また印刷導電性材質或いは導電回路の薄片或いは導電性を備える各種材質であることを特徴とする請求項１或いは２記載のマイクロコンピュータスコアリングの面ファスナーカギ式電子ターゲット構造。
【請求項６】
前記タッチスイッチユニットは導電膜スイッチであることを特徴とする請求項１或いは２記載のマイクロコンピュータスコアリングの面ファスナーカギ式電子ターゲット構造。
【請求項７】
前記タッチスイッチユニットはキープレススイッチであることを特徴とする請求項１或いは２記載のマイクロコンピュータスコアリングの面ファスナーカギ式電子ターゲット構造。
【請求項８】
前記マイクロコンピュータスコアリングの面ファスナーカギ式電子ターゲット構造は該タッチスイッチユニットを押し発生する感知信号を通して、さらに該電子表示スコアリングボックス内のマイクロコンピュータＣＰＵ自動演算により、各種異なるゲーム変化を生み出すことができ、こうして投球或いは投てきゲームは音と光、音声、音楽、ＬＥＤ、ＬＣＤ、バックライトＬＣＤ、バックライトボード、液晶モニターを組み合わせた各種自動スコアリングのゲーム方式とすることができることを特徴とする請求項１或いは２或いは３或いは４或いは５或いは６或いは７記載のマイクロコンピュータスコアリングの面ファスナーカギ式電子ターゲット構造。
【請求項９】
前記電子表示スコアリングボックスと面ファスナーカギ式電子ターゲット体の感知連接は、無線電或いは赤外線を使用し感知し、その電子機能を表示及びリモートコントロールすることを特徴とする請求項１或いは２或いは３記載のマイクロコンピュータスコアリングの面ファスナーカギ式電子ターゲット構造。
【請求項１０】
前記面ファスナーカギ式電子ターゲット体のエッジには少なくとも１個の吊り下げリングを設置し、これにより吊り下げることを特徴とする請求項１或いは２或いは３記載のマイクロコンピュータスコアリングの面ファスナーカギ式電子ターゲット構造。
【請求項１１】
前記面ファスナーカギ式電子ターゲット体の適当な位置には少なくとも１個の緩衝管を固設し、これにより球体或いは投てき物がターゲット体にぶつかる衝撃力を緩衝することを特徴とする請求項１或いは２或いは３記載のマイクロコンピュータスコアリングの面ファスナーカギ式電子ターゲット構造。
【請求項１２】
前記面ファスナーカギフック体ターゲット面は薄片上より透明の面ファスナーカギフック体を直接射出成型する一体成型の透明面ファスナーカギフック体ターゲット面で、
該薄片の背面には必要な図案、文字或いは目標ターゲット区域を直接印刷することができ、透明な面ファスナーカギフック体ターゲット面の正面より必要な目標ターゲット区域、図案或いは文字を目視することができることを特徴とする請求項１或いは３記載のマイクロコンピュータスコアリングの面ファスナーカギ式電子ターゲット構造。
【請求項１３】
前記面ファスナーカギフック体ターゲット面の背面部に、該導電膜スイッチ上層と同様の導電層回路を直接印刷し、該繊維ループ球体或いは繊維ループ投てき物が該目標ターゲット区域に命中すると、該目標ターゲット区域背面部の導電層上層はこれに従い後方へと陥没し、該導電膜下層の導電層に接触し、こうして同様に導電感知の機能を達成することができることを特徴とする請求項１或いは３記載のマイクロコンピュータスコアリングの面ファスナーカギ式電子ターゲット構造。
【請求項１４】
前記繊維ループターゲット面の背面部に、該導電膜スイッチ上層と同様の導電層回路を直接印刷し、該面ファスナーカギフック体球体或いは面ファスナーカギフック体投てき物が該目標ターゲット区域に命中すると、該目標ターゲット区域背面部の導電層上層はこれに従い後方へと陥没し、該導電膜下層の導電層に接触し、こうして同様に導電感知の機能を達成することができることを特徴とする請求項２記載のマイクロコンピュータスコアリングの面ファスナーカギ式電子ターゲット構造。
【請求項１５】
前記目標ターゲット区域の外周囲にはガイドリングを環状に設置し、該ガイドリングは該目標ターゲット区域の外周囲エッジに固設することを特徴とする請求項１或いは２或いは３記載のマイクロコンピュータスコアリングの面ファスナーカギ式電子ターゲット構造。
【請求項１６】
前記目標ターゲット区域の位置は穿孔とし、該穿孔の内周囲エッジと弾性目標ターゲット区域の弾性ベルト相互に粘着固定、或いは編織固定することを特徴とする請求項１或いは２或いは３記載のマイクロコンピュータスコアリングの面ファスナーカギ式電子ターゲット構造。
【請求項１７】
前記面ファスナーカギフック体ターゲット面は該面ファスナーカギフック体の背面部に接合或いは編織する薄片により構成し、
該薄片の表面には各種目標ターゲット区域、図案或いは文字を印刷することができ、該透明の面ファスナーカギフック体の正面より必要な目標ターゲット区域、図案或いは文字を目視することができることを特徴とする請求項１或いは３記載のマイクロコンピュータスコアリングの面ファスナーカギ式電子ターゲット構造。
【請求項１８】
前記面ファスナーカギフック体は単辺一体成型のフック体或いは双辺一体成型のフック体であることを特徴とする請求項１２或いは１７記載のマイクロコンピュータスコアリングの面ファスナーカギ式電子ターゲット構造。
【請求項１９】
前記タッチスイッチユニットと後片の間には少なくとも１層の緩衝片を設置し、該球体或いは投てき物が該面ファスナーカギ式電子ターゲットに衝突し発生する騒音を減少させることを特徴とする請求項１或いは２或いは３記載のマイクロコンピュータスコアリングの面ファスナーカギ式電子ターゲット構造。
【請求項２０】
前記面ファスナーカギ式電子ターゲットのエッジには一組のターゲットフレームを固設し、該面ファスナーカギ式電子ターゲットのエッジには少なくとも１個の紐ベルト或いは弾性ベルトを固設し、該ターゲットフレームと固定することを特徴とする請求項１或いは２或いは３記載のマイクロコンピュータスコアリングの面ファスナーカギ式電子ターゲット構造。
【請求項２１】
前記面ファスナーカギフック体ターゲット面或いは繊維ループターゲット面とタッチスイッチユニットの間には少なくとも１個の触動板を設置することを特徴とする請求項１或いは２或いは３記載のマイクロコンピュータスコアリングの面ファスナーカギ式電子ターゲット構造。
【請求項２２】
前記触動板の底端には少なくとも１個の触動突点を備えることを特徴とする請求項１７記載のマイクロコンピュータスコアリングの面ファスナーカギ式電子ターゲット構造。
【請求項２３】
前記タッチスイッチユニットの最上方には押圧片を設置し、該押圧片は必要に応じて円形、等辺扇形、四角形、或いは他の各種異なる形状とすることができ、これにより該タッチスイッチユニットに対応し、よりスムーズに、正確に感知信号を生じることができることを特徴とする請求項１或いは２或いは４或いは５或いは７記載のマイクロコンピュータスコアリングの面ファスナーカギ式電子ターゲット構造。
【考案の詳細な説明】
【技術分野】
【０００１】
本考案はマイクロコンピュータスコアリングの面ファスナー（マジックテープ（登録商標））カギ式電子ターゲット構造に関する。特に、電子ターゲットの表面上に面ファスナーカギフック体を備えるターゲット面を設置し投てき、自動スコアリングに用いるマイクロコンピュータスコアリングの面ファスナーカギ式電子ターゲット構造に係る。
【背景技術】
【０００２】
これまでの面ファスナーカギフック体ターゲット体は目視の方式により、自動スコアリング機能を持たない状況において、適当に球体をターゲット面へと投てきするものであったが、実は以下のように多くの欠点があった。
１．公知の面ファスナーカギターゲット体は自動スコアリング機能を備えないため、すべての投球のターゲット面に粘着した位置を記憶することはできない。
２．公知の面ファスナーカギターゲット面は、自動スコアリングができないため、そのゲーム方式を変化させ、異なる遊び方と競争方式を工夫することができず、ターゲット面の区域に向って投てきすることができるだけで、使用者はすぐに飽きてしまう。
３．球体を目標ターゲット区域に投てきする時には、球体はしばしば目標ターゲット区域と０点区域の間に粘着し、正確に得点したといえるのか判断することができない。
４．公知の面ファスナーカギターゲット面は自動スコアリングができないため、数人の参加者がいる時には、迅速に記録し、すべての参加者の得点を計算することができず、またマイクロコンピュータと競うこともできない。
５．球体を目標ターゲット区域に投てきする時、音声と音楽により得点した喜びを表現するということがなく、さらには自動スコアリング及び勝敗を計算することもできない。
【特許文献１】特開２０００−３５０８００公報
【考案の開示】
【考案が解決しようとする課題】
【０００３】
本考案が解決しようとする第一の課題は、その繊維ループ球体或いは繊維ループ投てき物は面ファスナーカギフック体ターゲット面上に効果的に粘着可能である他、繊維ループ球体或いは繊維ループ投てき物がターゲット面の目標区域に当たると、該目標ターゲット区域背面のタッチスイッチユニットは感知し、該感知信号はマイクロコンピュータＣＰＵに伝導され、こうして自動的に点数表示と音声及び音と光の電子スコアリング機能を生じ、正確に計算し、ゲーム参加者の点数及び勝敗を正確に判別し、その面ファスナーカギフック体はまた球体或いは他の投てき物にも設置可能で、面ファスナーカギフック体を備える球体或いは面ファスナーカギフック体投てき物が投げられ繊維ループターゲット面を設置する目標ターゲット区域に粘着すると、背後のタッチスイッチユニットを押し、自動スコアリング表示或いは音声及び音と光の効果を生じ、
本考案が解決しようとする第二の課題は、面ファスナーカギフック体ターゲット面の目標ターゲット区域背面のタッチスイッチユニットは導電膜スイッチ、或いは導電性を備える２枚の導電片スイッチ、インチングスイッチ、キープレススイッチ、バネスイッチ、導電片スイッチ等各種感知スイッチのタッチスイッチユニットに設置し、正確な導電感知信号を適当に発生し、該感知信号はマイクロコンピュータＣＰＵに伝導され、こうして自動的に点数表示と音声及び音と光の電子スコアリング機能を生じ、正確に計算し、ゲーム参加者の点数及び勝敗を正確に判別し、
本考案が解決しようとする第三の課題は、タッチスイッチユニットの上方に、少なくとも１個の押圧片を設置し、該押圧片はタッチスイッチユニットの押圧棒或いは押圧ボタン表面上に固設し、押圧片の機能はタッチスイッチユニットの受力面積を拡大することで、こうしてタッチスイッチユニットの感知はよりスムーズに、より敏感となり、得点の正確性を増進することができ、
本考案が解決しようとする第四の課題は、面ファスナーカギ式電子ターゲットの適当な位置には少なくとも１個の緩衝管を固設し、ネジにより該緩衝管を貫通し、さらに壁上に直接螺固し、該緩衝管は球体或いは投てき物がターゲット体にぶつかる衝撃力を緩衝する効果を備え、
本考案が解決しようとする第五の課題は、透明フック体を備える面ファスナーカギフック体ターゲット面の背面には必要な図案、文字或いは目標点数、目標ターゲット区域を直接印刷することができ、
本考案が解決しようとする第六の課題は、タッチスイッチユニットの押圧棒、タッチ補助構造、導電片スイッチ或いは導電片上層及び導電片下層は、必要に応じて各種異なる形状、構造或いは大きさ、長さ或いは材質に変化させることができ、これによりさらに適切に、スムーズに正確な感知信号を発生し、感知の最良状態を達成し、こうして自動スコアリングの効果を生じ、
本考案が解決しようとする第七の課題は、面ファスナーカギフック体ターゲット面の目標ターゲット区域は、外周囲エッジに弾性ベルトを別に編織或いは粘着固定する弾性目標ターゲット区域とすることができ、その機能は目標ターゲット区域の表面弾性を拡大することで、こうしてその背後のタッチスイッチユニットはさらに敏感に感知信号を発生することができ、
本考案が解決しようとする第八の課題は、面ファスナーカギフック体ターゲット面は繊維ループ球体或いは繊維ループ投てき物の投てきに供する他に、その面ファスナーカギフック体ターゲット面の底端の薄片には各種数字及び図案、目標区域或いは目標点数を印刷することができ、製品の必要に応じて製品付加価値を増進することができるマイクロコンピュータスコアリングの面ファスナーカギ式電子ターゲット構造を提供することである。
【課題を解決するための手段】
【０００４】
上記課題を解決するため、本考案は下記のマイクロコンピュータスコアリングの面ファスナーカギ式電子ターゲット構造を提供する
該面ファスナーカギフック体ターゲット面は繊維ループを備える球体或いは投てき物がターゲット面上に当たり粘着すると、その衝突の推力により、該面ファスナーカギフック体ターゲット面はわずかに後方へと陥没し、さらに、背面のタッチスイッチユニットに接触し、
該タッチスイッチユニットが接触された後に発生する感知信号は、マイクロコンピュータＣＰＵに提供され、各種異なるゲーム変化を生じ、これにより投てきゲームには音と光、音声、音楽、ＬＥＤ、ＬＣＤ、バックライトＬＣＤ、バックライトボード、液晶モニター等各種自動スコアリングのゲーム方式表示が加わり、
該ループを備える投てき物は球体、ダーツ、ループ物等各種ループを備える異なる投てき物で、すべてマイクロコンピュータスコアリングの面ファスナーカギ式電子ターゲットに使用することができ、
該タッチスイッチユニットはインチングスイッチ、導電膜スイッチ、バネスイッチ、導電片スイッチ及び各種公知のタッチスイッチで、これによりマイクロコンピュータスコアリングの面ファスナーカギ式電子ターゲットは自動スコアリングの効果を発生し、投てきゲームの変化を多様化することができるばかりか、さらにはゲーム参加者の楽しさを増強することができ、並得以マイクロコンピュータ処理により装置の自動スコアリング表示を駆動し、投てきゲームをさらに公平、公正にすることができる。
【０００５】
このような構成であるので、本考案は以下の１１の特徴を備える。
１．面ファスナーカギフック体ターゲット面或いは繊維ループターゲット面の背面或いは後端には少なくとも１個の適当な構造のタッチスイッチユニットを設置し、繊維ループ球体、他の繊維ループ投てき物或いは面ファスナーカギフック体球体、面ファスナーカギフック体投てき物が面ファスナーカギフック体ターゲット面或いは繊維ループターゲット面上の目標ターゲット区域へと投てきされると、背後のタッチスイッチユニットを押し、これにより感知の機能を達成し、自動スコアリング表示の効果を生じ、
２．該面ファスナーカギフック体ターゲット面上の少なくとも１個の目標ターゲット区域エッジの周囲には、ガイドリングを環状に設置し、該ガイドリングは目標ターゲット区域の外周囲エッジに固定し、球体或いは他の投てき物がスムーズにかつ明確に目標ターゲット区域に当たるよう導引し、これにより感知信号は正確にマイクロコンピュータＣＰＵに感知され演算され、
３．該面ファスナーカギフック体ターゲット面の目標ターゲット区域は外周囲エッジに弾性ベルトを別に編織或いは粘着固定する弾性目標ターゲット区域とすることができ、その機能は目標ターゲット区域の表面弾性を拡大することで、こうしてその背後のタッチスイッチユニットはさらに敏感に感知信号を発生することができ、該弾性ベルトを備える弾性目標ターゲット区域の機能は目標ターゲット区域と同様で、投てき物或いは球類投射の目標区域とすることで、
４．タッチスイッチユニットの背後には少なくとも１層の小後板を設置することができ、該小後板は導電膜下層の導電層の正後方に設置し、小後板の機能は球体の衝突力緩衝と感知導電モジュールが起す衝撃力を支えることで、こうしてタッチスイッチユニットの感知はさらに敏感となり、
５．面ファスナーカギフック体ターゲット面を備える電子ターゲット表面には面ファスナーを備えるカギフック体を設置しなくともよく、繊維ループ球体或いは繊維ループ投てき物等と同様の繊維ループをターゲット面上に設置し、球体或いは他の投てき物において反対に面ファスナーカギフック体の面ファスナーカギフック体表層とすることができ、面ファスナーカギフック体を設置する球体或いは他の投てき物が繊維ループを備えるターゲット面上の目標ターゲット区域に投げられると、順調に背後のタッチスイッチユニットを押し、自動スコアリング表示の効果を生じ、同様な道理で、面ファスナーカギフック体と繊維ループ相互粘着の特殊機能を有効に活用することができ、本考案面ファスナーカギ式電子ターゲットの構造上に巧妙に運用することができ、
６．本考案のタッチスイッチユニットは必要に応じて公知の最も簡単で、しかも導電性を備える２枚の導電片スイッチ、導電膜スイッチ、インチングスイッチ、キープレススイッチ、バネスイッチ、導電片スイッチ等各種感知スイッチとすることができ、
７．タッチスイッチユニットの上方には、少なくとも１個の押圧片を設置し、該押圧片はタッチスイッチユニットの押圧棒、押圧ボタン表面上に設置し、並びに固定し、押圧片の機能はタッチスイッチユニットの受力面積を拡大することで、こうしてタッチスイッチユニットの感知はさらにスムーズになり、得点の正確性を増進し、
８．タッチスイッチユニットのタッチパーツはタッチ補助構造を設置し、該タッチ補助構造の機能は公知のタッチスイッチユニットのタッチパーツをさらに精確に、スムーズに、便利に押されるよう補助することで、これによりタッチスイッチユニットは必要な正確な感知信号を発生し、
９．面ファスナーカギフック体は単辺射出フック体、或いは双辺射出フック体で、
１０．薄片は透明の面ファスナーを備えるカギフック体に直接成型し、一体の透明面ファスナーカギフック体ターゲット面とし、薄片の背面には必要な図案、文字、数字或いは目標点数、目標ターゲット区域を直接印刷し、透明の面ファスナーカギフック体ターゲット面の正面より、必要な目標ターゲット区域、図案或いは文字を見通すことができ、
１１．面ファスナーカギフック体或いは繊維ループの薄片は図案、文字、数字或いは目標点数、目標区域を薄片の表面上に印刷することができる。
【考案の効果】
【０００６】
本考案によれば、上記のように、電子ターゲットの表面上に面ファスナーカギフック体を備えるターゲット面を設置し投てきの自動スコアリングに用いるので、構造がシンプルで、最新式で、実用性が高く、優越性を備え、これにより投球或いは投てきゲームを刷新し、テクノロジーの一大進歩をもたらすものである。
【考案を実施するための最良の形態】
【０００７】
本考案の好適なマイクロコンピュータスコアリングの面ファスナーカギ式電子ターゲット構造の実施例を図面を参照して説明する。
図１に示すように、本考案は面ファスナー（マジックテープ（登録商標））カギ式電子ターゲット１０の構造上に運用することができ、面ファスナーカギフック体１１１を設置する面ファスナーカギフック体ターゲット面１１である。
該面ファスナーカギフック体ターゲット面１１上には少なくとも１個の目標ターゲット区域１０１を設置することができる。
繊維ループ２１１を備える繊維ループ球体或いは繊維ループ投てき物２０を該面ファスナーカギフック体１１１を備える面ファスナーカギフック体ターゲット面１１に投てきすると、該面ファスナーカギフック体ターゲット面１１上に粘着することができる他に、もし目標ターゲット区域１０１に命中すれば、該電子表示スコアリングボックス３０内に設置するマイクロコンピュータＣＰＵは該球体或いは投てき物が該目標ターゲット区域１０１に命中し得られた信号を伝送、演算し、正確に計算し、ゲーム参加者の勝敗を判別する。こうしてゲームの遊び方を各種変化させ、音声、音と光のエンターテイメント効果をプラスすることができる。これにより電子表示スコアリングボックス３０は必要な表示と音声の機能を達成することができる。
【０００８】
本考案の第二実施例は、面ファスナーカギ式電子ターゲット１０の構造上に面ファスナーカギフック体ターゲット面１１を設置せず、繊維ループ２１１をターゲット面上に設置し、繊維ループターゲット面２１とする。これにより面ファスナーカギフック体１１１を備える面ファスナーカギフック体球体或いは面ファスナーカギフック体投てき物２００を投てきし粘着させる。該繊維ループターゲット面２１にもまた少なくとも１個の目標ターゲット区域２０１を設置する。
該面ファスナーカギフック体１１１を備える面ファスナーカギフック体球体或いは面ファスナーカギフック体投てき物２００を該繊維ループ２１１を備える繊維ループターゲット面２１の目標ターゲット区域２０１に投てきすると、該電子表示スコアリングボックス３０内に設置するマイクロコンピュータＣＰＵは、球体或いは投てき物が該目標ターゲット区域２０１に命中し得られた信号を伝送、演算する。該面ファスナーカギ式電子ターゲット１０のエッジには、少なくとも１個の固定紐を通すフック孔１５を設置することができ、こうして該面ファスナーカギ式電子ターゲット１０を固定する。
また、該面ファスナーカギ式電子ターゲット１０のエッジの適当な位置には、少なくとも１個の吊り下げリング１６を固定し、壁或いは他の掛けることができる物に掛けることができる。該目標ターゲット区域１０１或いは該目標ターゲット区域２０１の位置排列は３×３の排列により設置することができる。
【０００９】
図２に示すように、本考案は該面ファスナーカギ式電子ターゲット１０の構造上に運用するため、ターゲット面には繊維ループと粘着する面ファスナーカギフック体１１１を設置することができる。該面ファスナーカギフック体１１１背面部には薄片１１２を接合或いは編織し、繊維ループと粘着する面ファスナーカギフック体ターゲット面１１を構成する。該薄片１１２上には面ファスナーカギフック体１１１を直接射出成型することができ、こうして該面ファスナーカギフック体１１１と該薄片１１２は一体成型の面ファスナーカギフック体ターゲット面１１となる。該面ファスナーカギフック体１１１は単辺射出フック体或いは双辺射出フック体である。
該繊維ループ２１１の繊維ループ球体或いは繊維ループ投てき物２０が該面ファスナーカギフック体ターゲット面１１に命中すると、該面ファスナーカギフック体ターゲット面１１は該繊維ループ球体或いは繊維ループ投てき物２０にぶつかられ、ターゲット面上に粘着する。
【００１０】
図３、図４に示すように、本考案は繊維ループ球体或いは繊維ループ投てき物２０の表面に運用し、繊維ループ２１１を設置せずに、面ファスナーカギフック体１１１等と同様の表層とし、面ファスナーカギフック体球体或いは面ファスナーカギフック体投てき物２００を構成することができる。
同一原理で、投てきにより粘着する対応するターゲット面にも面ファスナーカギフック体１１１を設置せずに、該面ファスナーカギフック体球体或いは面ファスナーカギフック体投てき物２００が粘着する該繊維ループ２１１を備える繊維ループターゲット面２１とすることができる。該繊維ループ２１１背面部には薄片２１２を接合或いは編織し、該面ファスナーカギフック体１１１と粘着可能な繊維ループターゲット面２１を構成する。こうして該面ファスナーカギフック体１１１を設置する面ファスナーカギフック体球体或いは面ファスナーカギフック体投てき物２００は粘着する。これにより該面ファスナーカギ式電子ターゲット１０と該繊維ループ球体、繊維ループ投てき物２０或いは該面ファスナーカギフック体球体、面ファスナーカギフック体投てき物２００は、該面ファスナーカギフック体１１１の該繊維ループ２１１に粘着する特殊機能を相互に運用することができ、本考案のマイクロコンピュータの面ファスナーカギ式電子ターゲット上に巧妙に使用することができる。
【００１１】
図５に示すように、本考案の面ファスナーカギ式電子ターゲット１０の構造上において、該繊維ループ２１１の繊維ループ球体或いは繊維ループ投てき物２０が該面ファスナーカギフック体ターゲット面１１の目標ターゲット区域１０１に当たると、該目標ターゲット区域１０１は後方へと該タッチスイッチユニット７０に触れる。該タッチスイッチユニット７０は導電膜スイッチ７０Aとして設置し、該導電膜スイッチ７０Aの導電膜上層７１の導電層７１１はこれに従い後方へと陥没し、該隔絶板７２の穿孔７２１を通過する。最後に、該導電膜下層７３の導電層７３１にさらに接触し、こうして導電感知の機能を達成する。
本考案のタッチスイッチユニット７０はまた導電膜上層７１及び導電膜下層７３により組成する導電膜スイッチ７０Aとすることができ、該隔絶板７２を設置する必要はない。
反対の道理で、本考案別種の運用の面ファスナーカギフック体１１１はまた球体或いは他の投てき物上に設置することができ、並びに相互に対応する繊維ループターゲット面２１と運用対応する。
該面ファスナーカギフック体球体或いは面ファスナーカギフック体投てき物２００が投げられ該繊維ループターゲット面２１の目標ターゲット区域２０１に当たり粘着すると、該目標ターゲット区域２０１は同様に後方へと、該タッチスイッチユニット７０の導電膜上層７１の導電層７１１に接触し、該導電層７１１はこれに従い後方へと陥没し、該隔絶板７２の穿孔７２１を通過する。最後に、該導電膜下層７３の導電層７３１にさらに接触し、こうして導電感知の機能を達成する。
【００１２】
図６に示すように、本考案は面ファスナーカギ式電子ターゲット１０の構造上に運用することができる。
該面ファスナーカギフック体ターゲット面１１上には面ファスナーカギフック体１１１を設置し、該面ファスナーカギフック体ターゲット面１１の背面にはタッチスイッチユニット７０を設置する。該タッチスイッチユニット７０は導電膜スイッチ７０Aとして設置し、該導電膜スイッチ７０Aは導電膜上層７１と隔絶板７２及び導電膜下層７３を設置する。該導電膜スイッチ７０Aの背面には後片１２を設置し、最前面の面ファスナーカギフック体ターゲット面１１と固定し、タッチ感知を備える面ファスナーカギ式電子ターゲット１０となる。
該面ファスナーカギフック体ターゲット面１１の表面上には、少なくとも１個の目標ターゲット区域１０１を設置し、該繊維ループ球体或いは繊維ループ投てき物２０が該目標ターゲット区域１０１に当たると、該目標ターゲット区域１０１は後方へと該導電膜上層７１の導電層７１１を押圧し、該導電層７１１はこれに従い後方へと陥没し、該隔絶板７２の穿孔７２１を通過する。最後に、該導電膜下層７３の導電層７３１にさらに接触し、こうして導電感知のマイクロコンピュータ自動スコアリング機能を達成する。
【００１３】
本考案の別に面ファスナーカギ式電子ターゲット１０構造上に運用可能な原理は、反対の道理で、投てきに用いるターゲット面を繊維ループ２１１を備える繊維ループターゲット面２１に替え、該繊維ループターゲット面２１の表面上には少なくとも１個の目標ターゲット区域２０１を設置することができ、該繊維ループターゲット面２１の背面にはタッチスイッチユニット７０を設置する。該タッチスイッチユニット７０を導電膜スイッチ７０Aとし、該導電膜スイッチ７０Aの背面には後片１２を設置し、最前面の繊維ループターゲット面２１と固定し、タッチ感知を備える面ファスナーカギ式電子ターゲット１０とする。
該面ファスナーカギフック体球体或いは面ファスナーカギフック体投てき物２００が目標ターゲット区域２０１に当たると、該目標ターゲット区域２０１は後方へと該導電膜上層７１の導電層７１１を押圧し、該導電層７１１はこれに従い後方へと陥没し、該隔絶板７２の穿孔７２１を通過する。最後に、該導電膜下層７３の導電層７３１にさらに接触し、こうして導電感知のマイクロコンピュータ自動スコアリング機能を達成する。
【００１４】
図７に示すように、本考案は面ファスナーカギ式電子ターゲット１０の構造上に運用することができる。
該面ファスナーカギフック体１１１背面部には薄片１１２を接合或いは編織し、こうして面ファスナーカギフック体ターゲット面１１を構成する。本考案面ファスナーカギフック体１１１は薄片１１２と一体に直接射出成型することができ、両者を接合或いは編織する必要はない。この時、薄片の背面には必要な図案、文字或いは目標点数、目標ターゲット区域を直接印刷し、一体成型の透明面ファスナーカギフック体ターゲット面１１の正面より、必要な図案、文字或いは目標点数、目標ターゲット区域を見通すことができる。
面ファスナーカギフック体ターゲット面１１の背面にはタッチスイッチユニット７０を設置する。該タッチスイッチユニット７０を導電膜スイッチ７０Aとし、タッチスイッチユニット７０の背後に設置する後片１２最前面の面ファスナーカギフック体ターゲット面１１と固定し、タッチ感知を備える面ファスナーカギ式電子ターゲット１０となる。
該面ファスナーカギフック体１１の表面上には少なくとも１個の目標ターゲット区域１０１を設置し、繊維ループ球体或いは繊維ループ投てき物２０が目標ターゲット区域１０１に当たると、該目標ターゲット区域１０１は後方へと該導電膜スイッチ７０Aに接触し、こうして導電感知の機能を達成する。該面ファスナーカギフック体１１１と接合或いは編織する薄片１１２の正面には図案、文字或いは目標ターゲット区域１０１を印刷することができ、透明の面ファスナーカギフック体の正面より、印刷された図案、文字或いは目標ターゲット区域１０１を見通すことができる。
【００１５】
本考案の別に面ファスナーカギ式電子ターゲット１０構造上に運用可能な原理は、反対の道理で、投てきに用いるターゲット面上に繊維ループ２１１を設置し、該繊維ループ２１１背面部には薄片２１２を接合或いは編織し、こうして繊維ループターゲット面２１を構成し、該繊維ループターゲット面２１の背面にはタッチスイッチユニット７０を設置する。該タッチスイッチユニット７０は導電膜スイッチ７０Aとして設置し、該導電膜スイッチ７０Aの背面には後片１２を設置し、最前面の繊維ループターゲット面２１と固定し、タッチ感知を備える面ファスナーカギ式電子ターゲット１０となる。
該繊維ループターゲット面２１の表面上には少なくとも１個の目標ターゲット区域２０１を設置し、面ファスナーカギフック体球体或いは面ファスナーカギフック体投てき物２００が目標ターゲット区域２０１に当たると、該目標ターゲット区域２０１は後方へと該導電膜スイッチ７０Aに接触し、こうして導電感知の機能を達成する。
本考案の繊維ループターゲット面２１の背面或いは正面には共に各種数字及び図案或いは目標ターゲット区域２０１を直接印刷することができる。
【００１６】
図８に示すように、本考案は面ファスナーカギ式電子ターゲット１０の構造上に運用することができる。
該面ファスナーカギフック体ターゲット面１１上には面ファスナーカギフック体１１１を設置し、該面ファスナーカギフック体ターゲット面１１の背面にはタッチスイッチユニット７０を設置する。該タッチスイッチユニット７０は導電膜スイッチ７０Aとして設置し、該導電膜スイッチ７０Aの背面には後片１２を設置し、最前面の面ファスナーカギフック体ターゲット面１１と固定し、タッチ感知を備える面ファスナーカギ式電子ターゲット１０となる。
該面ファスナーカギフック体ターゲット面１１の表面上には、少なくとも１個の目標ターゲット区域１０１を設置し、該繊維ループ球体或いは繊維ループ投てき物２０が該目標ターゲット区域１０１に当たると、該目標ターゲット区域１０１は後方へと該導電膜スイッチ７０Aに接触する。こうして導電感知の機能を達成する。
該導電膜スイッチ７０Aと後片１２の間には少なくとも１層の緩衝片１３を設置し、該繊維ループ球体或いは繊維ループ投てき物２０が該面ファスナーカギ式電子ターゲット１０に衝突し発生する騒音を減少させることができる。さらには該タッチスイッチユニット７０の導電膜スイッチ７０Aの導電感知の最良効果を強化することもできる。
内、該一体成型の面ファスナーカギフック体ターゲット面１１の背面には必要な図案、文字及び目標点数或いは目標ターゲット区域１０１を直接印刷することができる。
【００１７】
本考案の別に面ファスナーカギ式電子ターゲット１０構造上に運用可能な原理は、反対の道理で、投てきに用いるターゲット面上には繊維ループ２１１を設置し繊維ループターゲット面２１とする。
該繊維ループターゲット面２１の背面にはタッチスイッチユニット７０を設置する。該タッチスイッチユニット７０は導電膜スイッチ７０Aとして設置し、該導電膜スイッチ７０Aの背面には後片１２を設置し、最前面の繊維ループターゲット面２１と固定し、タッチ感知を備える面ファスナーカギ式電子ターゲット１０となる。
該面ファスナーカギフック体球体或いは面ファスナーカギフック体投てき物２００が投げられ該目標ターゲット区域２０１に当たると、該目標ターゲット区域２０１は後方へと該導電膜スイッチ７０Aに接触する。こうして導電感知の機能を達成する。該導電膜スイッチ７０Aと後片１２の間には少なくとも１層の緩衝片１３を設置し、該面ファスナーカギフック体球体或いは面ファスナーカギフック体投てき物２００が該面ファスナーカギ式電子ターゲット１０に衝突し発生する騒音を減少させることができる。さらには該タッチスイッチユニット７０の導電膜スイッチ７０Aの導電感知の最良効果を強化することもできる。
【００１８】
図９に示すように、本考案は面ファスナーカギ式電子ターゲット１０の構造上に運用することができる。
該面ファスナーカギフック体ターゲット面１１の背面部には、該導電膜上層７１と同様の導電層回路を直接印刷することができ、該繊維ループ球体或いは繊維ループ投てき物２０が該目標ターゲット区域１０１に当たると、該目標ターゲット区域１０１背面部の導電層７１１はこれに従い後方へと陥没し、該隔絶板７２の穿孔７２１を通過する。最後に、該導電膜下層７３の導電層７３１にさらに接触し、こうして同様に導電感知の機能を達成することができ、一層の薄片１１２を省くことができる。こうしてコスト低下の効果を達成することができる。
本考案の別に面ファスナーカギ式電子ターゲット１０構造上に運用可能な原理は、反対の道理で、該繊維ループターゲット面２１の背面部に、該導電膜上層７１と同様の導電層回路を直接印刷することができ、該面ファスナーカギフック体球体或いは面ファスナーカギフック体投てき物２００が投げられ該目標ターゲット区域２０１に当たると、該目標ターゲット区域２０１背面部の導電層７１１はこれに従い後方へと陥没し、該隔絶板７２の穿孔７２１を通過する。最後に、該導電膜下層７３の導電層７３１にさらに接触し、こうして同様に導電感知の機能を達成することができ、一層の薄片２１２を省くことができ、こうしてコスト低下の効果を達成することができる。
【００１９】
図１０に示すように、該図は図９指示の反対方向の別種の分解指示図である。
図１１、図１２に示すように、本考案は面ファスナーカギ式電子ターゲット１０の構造上に運用することができる。
該面ファスナーカギフック体ターゲット面１１には少なくとも１個の目標ターゲット区域１０１を設置することができる。該繊維ループ球体或いは繊維ループ投てき物２０が該面ファスナーカギフック体ターゲット面１１上の目標ターゲット区域１０１に当たると、得られた信号は電子表示スコアリングボックス３０内に設置するマイクロコンピュータＣＰＵに伝送される。さらにＣＰＵにより信号を伝送し、正確に計算し、ゲーム参加者の勝敗を判別する。こうして必要な機能を該電子表示スコアリングボックス３０に表示し、様々な遊び方にゲームを変化させ、音声、音と光のエンターテイメント効果を増強することができる。
【００２０】
本考案の別に面ファスナーカギ式電子ターゲット１０構造上に運用可能な原理は、反対の道理で、該繊維ループターゲット面２１に、少なくとも１個の目標ターゲット区域２０１を設置する。
該面ファスナーカギフック体球体或いは面ファスナーカギフック体投てき物２００が該繊維ループターゲット面２１上の目標ターゲット区域２０１に当たると、得られた信号は電子表示スコアリングボックス３０内に設置するマイクロコンピュータＣＰＵに伝送される。さらにＣＰＵにより信号を伝送し、正確に計算し、ゲーム参加者の勝敗を判別する。こうして必要な機能を該電子表示スコアリングボックス３０に表示し、様々な遊び方にゲームを変化させ、音声、音と光のエンターテイメント効果を増強することができる。
該面ファスナーカギ式電子ターゲット１０のエッジには、少なくとも１個の紐ベルト(弾性ベルト)１７を設置することができる。該紐ベルト１７は弾性を備え、該面ファスナーカギ式電子ターゲット１０をターゲットフレーム４０に固定するために用い、また該繊維ループ球体或いは繊維ループ投てき物２０或いは面ファスナーカギフック体球体或いは面ファスナーカギフック体投てき物２００の該面ファスナーカギ式電子ターゲット１０への衝突を緩衝する機能を備える。
該ターゲットフレーム４０の底部には水を充填することができる少なくとも１個の水箱４１を設置し、これにより該ターゲットフレーム４０は安定的に直立することができる。該電子表示スコアリングボックス３０は必要に応じて多線式のケーブル或いは他の電子接続線を使用し、該面ファスナーカギ式電子ターゲット１０の構造上に接続する。
該目標ターゲット区域１０１或いは目標ターゲット区域２０１は５×５排列の設置とすることができる。該電子表示スコアリングボックス３０と該面ファスナーカギ式電子ターゲット１０の感知連接は、コードレス或いは赤外線を使用し感知、表示或いはコントロールを行う。
【００２１】
図１３に示すように、本考案の面ファスナーカギ式電子ターゲット１０のエッジは、吊り下げリング１６を用いネジ５３により壁８０上に螺固することができ、この場合、ネジ５３は壁８０のネジ孔に固定片或いはワッシャを介して螺固する。該面ファスナーカギ式電子ターゲット１０のエッジ或いは後端の適当な位置には少なくとも１個の緩衝管(或いは弾性体)１８を固設し、ネジ５３を用い緩衝管１８を貫通し、該緩衝管１８上に固定する。該緩衝管１８の機能は該面ファスナーカギ式電子ターゲット１０のターゲット面を支え、これにより該面ファスナーカギ式電子ターゲット１０と壁８０の間に適当な間隙を持たせ、該繊維ループ球体、該繊維ループ投てき物２０或いは該面ファスナーカギフック体球体、該面ファスナーカギフック体投てき物２００が該面ファスナーカギ式電子ターゲット１０に衝突後、壁８０に対して発生する騒音を減少させ、緩衝の効果を達成する。
【００２２】
本考案のもう一つの固定緩衝構造の運用は、該面ファスナーカギ式電子ターゲット１０のエッジにおいて、ネジ５３を用い少なくとも１個の緩衝管１８を貫通し、さらに直接壁８０に貫通、螺固するものである。該緩衝管１８の機能は同様に該面ファスナーカギ式電子ターゲット１０のターゲット面を支えることで、該面ファスナーカギ式電子ターゲット１０と壁８０との間に適当な間隙を持たせ、該繊維ループ球体、該繊維ループ投てき物２０或いは該面ファスナーカギフック体球体、該面ファスナーカギフック体投てき物２００が該面ファスナーカギ式電子ターゲット１０に衝突後、壁８０に対して発生する騒音を減少させ、緩衝の効果を達成する。
【００２３】
図１４に示すように、本考案は面ファスナーカギ式電子ターゲット１０の少なくとも１個の目標ターゲット区域１０１或いは目標ターゲット区域２０１エッジの周囲に、ガイドリング５０を環状(或いは突出錐体)に設置することができる。該ガイドリング５０は該目標ターゲット区域１０１或いは目標ターゲット区域２０１の外周囲エッジに固定し、該繊維ループ球体、繊維ループ投てき物２０或いは該面ファスナーカギフック体球体、面ファスナーカギフック体投てき物２００が該目標ターゲット区域１０１或いは該目標ターゲット区域２０１にうまく衝突するよう導引し、これにより感知信号は正確にマイクロコンピュータＣＰＵにより感知され、演算される。
該球体或いは投てき物が該ガイドリング５０の頂端に衝突すると、該ガイドリング５０の頂端は該繊維ループ球体、繊維ループ投てき物２０或いは該面ファスナーカギフック体球体、面ファスナーカギフック体投てき物２００の衝突によりわずかに移動し、こうして該繊維ループ球体、繊維ループ投てき物２０或いは該面ファスナーカギフック体球体、面ファスナーカギフック体投てき物２００は該ガイドリング５０によりうまく動員され、該目標ターゲット区域１０１或いは該目標ターゲット区域２０１内にスライドし飛び込む。
【００２４】
図１５、図１６、図１７に示すように、本考案の面ファスナーカギフック体ターゲット面１１の目標ターゲット区域１０１の位置には穿孔１１３を設置することができる。
該穿孔１１３の内周囲エッジは該弾性目標ターゲット区域１０１Aの弾性ベルト１０１B相互に粘着固定、或いは編織固定する。その機能は、該目標ターゲット区域１０１の表面弾性を拡大することで、こうして背後のタッチスイッチユニット７０はさらに敏感に感知信号を生じることができる。
本考案の反対道理の運用では、該繊維ループターゲット面２１の目標ターゲット区域２０１の位置を穿孔１１３とし、該穿孔１１３の内周囲エッジは該弾性目標ターゲット区域２０１Aの弾性ベルト２０１Bと相互に粘着固定、或いは編織固定する。その機能は該目標ターゲット区域２０１の表面弾性を拡大することで、こうして背後のタッチスイッチユニット７０はさらに敏感に感知信号を生じることができる。
【００２５】
図１８、図１９に示すように、本考案は該面ファスナーカギ式電子ターゲット１０の面ファスナーカギフック体ターゲット面１１の目標ターゲット区域１０１とタッチスイッチユニット７０に設置する導電膜スイッチ７０Aの相互に対応する間に触動板６０を設置することができる。該触動板６０の底端には少なくとも１個の触動突点６１を成型する。
本考案の反対道理の運用では、面ファスナーカギ式電子ターゲット１０の繊維ループターゲット面２１の目標ターゲット区域２０１とタッチスイッチユニット７０に設置する導電膜スイッチ７０Aの相互に対応する間には触動板６０を設置し、該触動板６０の底端には少なくとも１個の触動突点６１を成型する。
【００２６】
図２０、図２１に示すように、本考案は面ファスナーカギ式電子ターゲット１０の感知導電モジュール７０A背後に少なくとも１層の小後板１３１を設置することができる。該小後板１３１は導電膜下層７３の導電層７３１が相対する位置の正後方に設置する。
該小後板１３１の機能は球体或いは投てき物の衝突力を緩衝し、該感知導電モジュール７０Aが作り出す衝撃力を支えることで、こうして該感知導電モジュール７０Aの感知はさらに敏感精確となり、球体或いは投てき物衝突の騒音を低減することができる。
【００２７】
図２２に示すように、本考案は面ファスナーカギ式電子ターゲット１０のタッチスイッチユニット７０を導電片スイッチ７０Dとすることができる。該導電片スイッチ７０Dの２枚の導電片の導電片上層７０１と導電片下層７０２は共に金属導電材質で、また印刷導電性材質或いは導電回路の薄片或いは導電性を備える各種材質である。
該導電片スイッチ７０Dの導電片上層７０１の最上端には面ファスナーカギフック体ターゲット面１１或いは繊維ループターゲット面２１を設置し、該繊維ループ球体、繊維ループ投てき物２０或いは該面ファスナーカギフック体球体、面ファスナーカギフック体投てき物２００が該面ファスナーカギフック体ターゲット面１１或いは該繊維ループターゲット面２１の表面に衝突すると、該面ファスナーカギフック体ターゲット面１１或いは繊維ループターゲット面２１は凹状を形成し、それに従い該導電片スイッチ７０D上方の導電片上層７０１を押し、さらに該導電片下層７０２を押し、こうして導電感知のマイクロコンピュータ自動スコアリング機能を達成する。
本考案の導電片スイッチ７０Dの導電片上層７０１或いは導電片下層７０２は必要に応じて各種異なる形状、大きさ或いは構造、材質或いは導電材質に設計することができ、感知の最良状態を達成し、こうして自動スコアリングの効果を生じる。
【００２８】
図２３に示すように、本考案は面ファスナーカギ式電子ターゲット１０のタッチスイッチユニット７０をキープレススイッチ７０Cとすることができる。
該キープレススイッチ７０C上には押圧ボタン７７を設置し、該押圧ボタン７７最上端には面ファスナーカギフック体ターゲット面１１或いは繊維ループターゲット面２１を設置する。
該繊維ループ球体、繊維ループ投てき物２０或いは該面ファスナーカギフック体球体、面ファスナーカギフック体投てき物２００が投てきされ、該面ファスナーカギフック体ターゲット面１１或いは該繊維ループターゲット面２１の表面に接触すると、該面ファスナーカギフック体ターゲット面１１或いは該繊維ループターゲット面２１は凹状を形成し、それに従い該キープレススイッチ７０C上の押圧ボタン７７を押し、こうして導電感知のマイクロコンピュータ自動スコアリング機能を達成する。該押圧ボタン７７は必要に応じて各種異なる形状、大きさ或いは構造、材質に設計することができる。
【００２９】
図２４に示すように、本考案の面ファスナーカギ式電子ターゲット１０のタッチスイッチユニット７０は、固定板９０に取り付けてインチングスイッチ７０Bとすることができる。
該インチングスイッチ７０Bの上方にはタッチ補助構造７５を設置し、該タッチ補助構造７５上には押圧ボタン７７を設置する。
該押圧ボタン７７の上端には面ファスナーカギフック体ターゲット面１１或いは繊維ループターゲット面２１を設置し、該繊維ループ球体、繊維ループ投てき物２０或いは該面ファスナーカギフック体球体、面ファスナーカギフック体投てき物２００が投てきされ、該面ファスナーカギフック体ターゲット面１１或いは該繊維ループターゲット面２１の表面に接触すると、該面ファスナーカギフック体ターゲット面１１或いは該繊維ループターゲット面２１は凹状を形成し、それに従い該タッチ補助構造７５の押圧ボタン７７を押し、さらに、該インチングスイッチ７０B頂端のタッチパーツ７６に接触し、こうして導電感知のマイクロコンピュータ自動スコアリング機能を達成する。
【００３０】
図２５に示すように、本考案の面ファスナーカギ式電子ターゲット１０のタッチスイッチユニット７０はインチングスイッチ７０Bとすることができる。
該インチングスイッチの傍らには押圧棒７８を設置し、該押圧棒７８の最上端には該面ファスナーカギフック体ターゲット面１１或いは該繊維ループターゲット面２１を設置し、該繊維ループ球体、繊維ループ投てき物２０或いは該面ファスナーカギフック体球体、面ファスナーカギフック体投てき物２００が投てきされ、該面ファスナーカギフック体ターゲット面１１或いは該繊維ループターゲット面２１の表面に接触すると、該面ファスナーカギフック体ターゲット面１１或いは該繊維ループターゲット面２１は凹状を形成し、それに従い該押圧棒７８を押し、こうして導電感知のマイクロコンピュータ自動スコアリング機能を達成する。本考案インチングスイッチ７０Bの押圧棒７８は必要に応じて異なる形状、大きさ或いは長さに設計することができる。
【００３１】
図２６に示すように、本考案の面ファスナーカギ式電子ターゲット１０のタッチスイッチユニット７０はインチングスイッチ７０Bとすることができる。
該インチングスイッチ７０B上方には押圧棒７８を設置し、該押圧棒７８上にはボルト(及びネジ)、リベット７９２により押圧片７９を螺固し、該押圧片７９の最上端には面ファスナーカギフック体ターゲット面１１或いは繊維ループターゲット面２１を設置する。
該繊維ループ球体、繊維ループ投てき物２０或いは該面ファスナーカギフック体球体、面ファスナーカギフック体投てき物２００が投てきされ、該面ファスナーカギフック体ターゲット面１１或いは該繊維ループターゲット面２１の表面を押すと、該面ファスナーカギフック体ターゲット面１１或いは該繊維ループターゲット面２１は凹状を形成し、それに従い該押圧片７９を押し、さらに該インチングスイッチ７０Bのタッチパーツ７６に接触する。こうして導電感知のマイクロコンピュータ自動スコアリング機能を達成する。
本考案の押圧片７９は必要に応じて各種異なる形状、大きさ或いは構造に設計することができ、こうして適切にかつスムーズにインチングスイッチ７０Bに接触し、自動スコアリングの効果を達成することができる。
【００３２】
図２７に示すように、本考案面ファスナーカギ式電子ターゲット１０のタッチスイッチユニット７０は導電片スイッチ７０Dとすることができる。
該導電片スイッチ７０Dの導電片上層７０１の上方にはボルト、リベット７９２により押圧片７９をし、該押圧片７９の最上端には面ファスナーカギフック体ターゲット面１１或いは繊維ループターゲット面２１を設置し、該繊維ループ球体、繊維ループ投てき物２０或いは該面ファスナーカギフック体球体、面ファスナーカギフック体投てき物２００が投てきされ、該面ファスナーカギフック体ターゲット面１１或いは該繊維ループターゲット面２１の表面に接触すると、該面ファスナーカギフック体ターゲット面１１或いは該繊維ループターゲット面２１は凹状を形成し、それに従い該導電片スイッチ７０D上方の押圧片７９を押す。こうして該導電片上層７０１は下方へと該導電片下層７０２を押し、導電感知のマイクロコンピュータ自動スコアリング機能を達成することができる。
【００３３】
本考案の導電片上層７０１と押圧片７９は一体成型とすることができ、ボルト、リベット７９２による螺固を不要とすることができ、また必要に応じて各種異なる形状とし、スムーズな感知自動スコアリングの目的を達成する。
さらに本考案の導電片スイッチ７０Dは必要に応じて、各種異なる形状、大きさ或いは構造、材質とすることができ、自動スコアリングの効果を達成する。
本考案導電片スイッチ７０Dの導電片上層７０１或いは導電片下層７０２は必要に応じて各種異なる形状或いは導電材質とし、感知の最良状態を達成し、こうして自動スコアリングの効果を生じる。
【００３４】
図２８、図２９、図３０、図３１に示すように、本考案はタッチスイッチユニット７０の最上方に、押圧片７９を設置し、該押圧片７９の中間には少なくとも１個の固定孔７９０を設置する。
該押圧片７９は必要に応じて円形、等辺扇形、四角形等、或いは他の各種必要な形状、大きさ或いは構造、材質に設計し、適切にスムーズに感知信号を発生し、自動スコアリングの効果を達成することができる。
【００３５】
以上の各種構造には、次の八項の特徴がある。
１．面ファスナーカギフック体ターゲット面或いは繊維ループターゲット面の背面或いは後端に少なくとも１個の適当な構造のタッチスイッチユニットを設置し、繊維ループ球体、繊維ループ投てき物或いは面ファスナーカギフック体球体、面ファスナーカギフック体投てき物が投てきされ、面ファスナーカギフック体ターゲット面或いは繊維ループターゲット面に接触すると、タッチスイッチユニットに間接的に接触し、感知の機能を達成する。
２．本考案のタッチスイッチユニットは最も簡単で、しかも導電性を備える２枚の導電片スイッチ或いは導電膜スイッチで、該タッチスイッチユニットはまた必要に応じて公知のインチングスイッチ、キープレススイッチ、バネスイッチ、導電片スイッチ等各種感知スイッチとすることができる。また補助タッチ構造或いは押圧ボタン、押圧棒、押圧片、タッチパーツの接触を補助する構造により、公知のタッチスイッチユニットのタッチパーツを補助し、押圧をさらに精確、スムーズ、便利とし、こうしてタッチスイッチユニットは必要な感知信号を生じ、さらに電子表示スコアリングボックス内のマイクロコンピュータＣＰＵにより自動演算を行い、各種異なるゲーム変化を生み出すことができ、こうして投てきゲームに音と光、音声、音楽、ＬＥＤ、ＬＣＤ、バックライトＬＣＤ、バックライトボード、液晶モニターを対応させ各種自動スコアリングのゲーム方式とすることができる。
【００３６】
３．本考案のタッチスイッチユニットの押圧棒、タッチ補助構造、導電片スイッチ或いは導電片上層及び導電片下層はすべて、必要に応じて各種異なる形状、構造或いは大きさ、長さ或いは材質とすることができ、スムーズに感知信号を発生し、感知の最良状態を達成し、こうして自動スコアリングの効果を生じることができる。
４．面ファスナーカギフック体の薄片或いは繊維ループの薄片は図案、文字、数字或いは目標点数、目標区域を薄片の表面上に印刷することができ、直接射出成型する一体成型の透明面ファスナーカギフック体ターゲット面の正面から、必要な目標ターゲット点或いは目標ターゲット区域、図案或いは文字を見通すことができる。
５．透明の一体成型の面ファスナーカギフック体を備えるターゲット面の背面には必要な図案、文字或いは目標ターゲット区域を直接印刷することができ、透明の一体成型面ファスナーカギフック体ターゲット面の正面から、必要な図案、文字或いは目標ターゲット区域を見通すことができ、該面ファスナーカギフック体は単辺射出フック体で、また双辺射出フック体である。
【００３７】
６．電子表示スコアリングボックスと面ファスナーカギ式電子ターゲットの感知連接は、コードレス或いは赤外線を使用し感知、表示とコントロールを行う。
７．面ファスナーカギフック体ターゲット面の背面部には、導電膜上層と同様の導電層回路を直接印刷し、繊維ループ球体或いは繊維ループ投てき物が目標ターゲット区域に当たると、該目標ターゲット区域背面部の導電層はこれに従い後方へと陥没し、隔絶板の穿孔を貫通し、最後に導電膜下層の導電層に接触し、こうして同様に導電感知の機能を達成することができる。
８．タッチスイッチユニットは導電片スイッチで、該導電片スイッチの２枚の導電片の導電片上層と導電片下層は共に金属導電材質で、また印刷導電性材質、導電回路の薄片或いは導電性を備える各種材質とすることができる。
【図面の簡単な説明】
【００３８】
【図１】本考案のマイクロコンピュータスコアリングの面ファスナーカギ式電子ターゲット構造の正面参考指示図（一）である。
【図２】本考案の面ファスナーカギフック体を備えるターゲット面と繊維ループ球体表面の側面参考指示図である。
【図３】本考案の面ファスナーカギフック体球体表面の立体参考指示図である。
【図４】本考案の繊維ループを備える繊維ループターゲット面と面ファスナーカギフック体球体表面の側面参考指示図である。
【図５】本考案のマイクロコンピュータスコアリングの面ファスナーカギ式電子ターゲット構造の側面参考指示図である。
【図６】本考案マイクロコンピュータスコアリングの面ファスナーカギ式電子ターゲット構造の分解参考指示図（一）である。
【図７】本考案のマイクロコンピュータスコアリングの面ファスナーカギ式電子ターゲット構造の分解参考指示図（二）である。
【図８】本考案のマイクロコンピュータスコアリングの面ファスナーカギ式電子ターゲット構造の分解参考指示図（三）である。
【図９】本考案のマイクロコンピュータスコアリングの面ファスナーカギ式電子ターゲット構造の分解参考指示図（四）である。
【図１０】本考案のマイクロコンピュータスコアリングの面ファスナーカギ式電子ターゲット構造の分解参考指示図（五）である。
【図１１】本考案のマイクロコンピュータスコアリングの面ファスナーカギ式電子ターゲット構造の正面参考指示図（二）である。
【図１２】本考案のマイクロコンピュータスコアリングの面ファスナーカギ式電子ターゲット構造の正面参考指示図（三）である。
【図１３】本考案のマイクロコンピュータスコアリングの面ファスナーカギ式電子ターゲット固定壁の側面参考指示図（一）である。
【図１４】本考案のガイドリング立体参考指示図である。
【図１５】本考案の弾性目標ターゲット区域正面参考指示図である。
【図１６】本考案の弾性目標ターゲット区域と面ファスナーカギフック体ターゲット面或いは繊維ループターゲット面の結合正面参考指示図（一）である。
【図１７】本考案の弾性目標ターゲット区域と面ファスナーカギフック体ターゲット面或いは繊維ループターゲット面の結合正面参考指示図（二）である。
【図１８】本考案の触動板の正面参考指示図である。
【図１９】本考案の触動板と導電膜スイッチ及び面ファスナーカギフック体ターゲット面或いは繊維ループターゲット面の側面分解参考指示図である。
【図２０】本考案の小後板の正面参考指示図である。
【図２１】本考案の小後板と導電膜スイッチ及び面ファスナーカギフック体ターゲット面或いは繊維ループターゲット面の組み立て側面参考指示図である。
【図２２】本考案のタッチスイッチユニットと面ファスナーカギフック体ターゲット面或いは繊維ループターゲット面の側面参考指示図（一）である。
【図２３】本考案のタッチスイッチユニットと面ファスナーカギフック体ターゲット面或いは繊維ループターゲット面の側面参考指示図（二）である。
【図２４】本考案のタッチスイッチユニットと面ファスナーカギフック体ターゲット面或いは繊維ループターゲット面の側面参考指示図（三）である。
【図２５】本考案のタッチスイッチユニットと面ファスナーカギフック体ターゲット面或いは繊維ループターゲット面の側面参考指示図（四）である。
【図２６】本考案のタッチスイッチユニットと押圧片の側面参考指示図（一）である。
【図２７】本考案のタッチスイッチユニットと押圧片の側面参考指示図（二）である。
【図２８】本考案の押圧片の正面参考指示図（一）である。
【図２９】本考案の押圧片の側面参考指示図である。
【図３０】本考案の押圧片の正面参考指示図（二）である。
【図３１】本考案の押圧片の正面参考指示図（三）である。
【符号の説明】
【００３９】
１０  面ファスナーカギ式電子ターゲット
１０１  目標ターゲット区域
１０１A  弾性目標ターゲット区域
１０１B  弾性ベルト
１１  面ファスナーカギフック体ターゲット面
１１１  面ファスナーカギフック体
１１２  薄片
１１３  穿孔
１２  後片
１３  緩衝片
１３１  小後板
１５  フック孔
１６  吊り下げリング
１７  紐ベルト(或いは、弾性ベルト）
１８  緩衝管
２０  繊維ループ球体、繊維ループ投てき物
２００  面ファスナーカギフック体球体、面ファスナーカギフック体投てき物
２０１  目標ターゲット区域
２０１A  弾性目標ターゲット区域
２０１B  弾性ベルト
２１  繊維ループターゲット面
２１１  繊維ループ
２１２  薄片
３０  電子表示スコアリングボックス
４０  ターゲットフレーム
４１  水箱
５０  ガイドリング
５３  ネジ
６０  触動板
６１  触動突点
７０  タッチスイッチユニット
７０A  導電膜スイッチ
７０B  インチングスイッチ
７０C  キープレススイッチ
７０D  導電片スイッチ
７０１  導電片上層
７０２  導電片下層
７１  導電膜上層
７１１  導電層
７２  隔絶板
７２１  穿孔
７３  導電膜下層
７３１  導電層
７５  タッチ補助構造
７６  タッチパーツ
７７  押圧ボタン
７８  押圧棒
７９  押圧片
７９０  固定孔
７９２  ボルト、リベット
８０  壁
９０  固定板
【図１】
0003144807.tif 000003
【図２】
0003144807.tif 000004
【図３】
0003144807.tif 000005
【図４】
0003144807.tif 000006
【図５】
0003144807.tif 000007
【図６】
0003144807.tif 000008
【図７】
0003144807.tif 000009
【図８】
0003144807.tif 000010
【図９】
0003144807.tif 000011
【図１０】
0003144807.tif 000012
【図１１】
0003144807.tif 000013
【図１２】
0003144807.tif 000014
【図１３】
0003144807.tif 000015
【図１４】
0003144807.tif 000016
【図１５】
0003144807.tif 000017
【図１６】
0003144807.tif 000018
【図１７】
0003144807.tif 000019
【図１８】
0003144807.tif 000020
【図１９】
0003144807.tif 000021
【図２０】
0003144807.tif 000022
【図２１】
0003144807.tif 000023
【図２２】
0003144807.tif 000024
【図２３】
0003144807.tif 000025
【図２４】
0003144807.tif 000026
【図２５】
0003144807.tif 000027
【図２６】
0003144807.tif 000028
【図２７】
0003144807.tif 000029
【図２８】
0003144807.tif 000030
【図２９】
0003144807.tif 000031
【図３０】
0003144807.tif 000032
【図３１】
0003144807.tif 000033